(57)【要約】【課題】            特に図書館において、書籍類の貸し出し、返却や移動の管理を非接触式のＩＣタグを用いて行なうについて、書籍類はその非接触式ＩＣタグの装着位置が限定されることとなるが、その限定された位置にフィットし、しかも隠蔽性を確保できるＩＣタグが存在していなかったという点である。【解決手段】        個体識別情報を有するＩＣチップと送受信アンテナから構成され、その通信帯域としてＵＨＦ帯を使用する非接触式ＩＣタグを用いた電子タグにおいて、その幅を３ｍｍ〜６ｍｍとしたこととし、また、電子タグの両面は、粘着層を有するとともに、離型性を有するキャリア層およびカバーフィルム層の間に挟持されており、前記したキャリア層及びカバーフィルム層の長さが３６０ｍｍ±６０ｍｍ、または１８０ｍｍ±６０ｍｍであることとする。【選択図】          図１
2012178102.tif 000002
【特許請求の範囲】
【請求項１】
個体識別情報を有するＩＣチップと送受信アンテナから構成され、その通信帯域としてＵＨＦ帯を使用する非接触式ＩＣタグを用いた電子タグにおいて、その幅を３ｍｍ〜６ｍｍとしたことを特徴とする電子タグ。
【請求項２】
前記した電子タグの両面は、粘着層を有するとともに、離型性を有するキャリア層およびカバーフィルム層の間に挟持されており、前記したキャリア層及びカバーフィルム層の長さが３６０ｍｍ±６０ｍｍ、または１８０ｍｍ±６０ｍｍであることを特徴とする請求項１に記載の電子タグ。
【請求項３】
前記したＩＣチップの個体識別情報はＲＯＭによって構成されていることを特徴とする請求項１または２に記載の電子タグ。
【請求項４】
前記した電子タグはベースとなるテープ材上に搭載もしくは二枚のテープ材間に挟持されていることを特徴とする請求項１から３のうち１項に記載の電子タグ。
【請求項５】
前記した電子タグは、その一部分を構成する部材がベースを兼ねていることを特徴とする請求項１から３のうち１項に記載の電子タグ。
【発明の詳細な説明】
【技術分野】
【０００１】
本発明は電子タグに関し、特に個体識別情報を有するＩＣチップと送受信アンテナとから構成される非接触式ＩＣタグとしての電子タグに関し、主として図書館における書籍類の貸し出し、返却や移動の管理を専用的に目的とする電子タグに関する。
【背景技術】
【０００２】
従来より、物品の個体管理のため、非接触式のＩＣタグが使用されている。そして、この非接触式のＩＣタグは形態がベース材としてのテープ上に搭載されるので、アパレルや雑貨、衣服類等の物品、商品には設置スペースが見出され、その装着は比較的容易となる。
【０００３】
しかしながら、対象が書籍類となると、印刷部分を覆うことはできず、その装着は工夫を要し、隠蔽されていないと剥離されてしまう虞もある。加えて、書籍類は一般的なハードカバーのほか、文庫本や各社のノベルズ、辞典類、写真集、地図帳等、そのサイズも様々なものとなっている。
【０００４】
そして、選択される非接触式のＩＣタグの装着部位は、ハードカバー等の場合、背と束の間のスペースであったり、束が背にダイレクトに付いている場合等はカバーと背の間であったり、あるいは見開きや、各ページ間の喉部分であったりする。
【先行技術文献】
【特許文献】
【０００５】
【特許文献１】特開２００８−１３４７９６号公報
【発明の概要】
【発明が解決しようとする課題】
【０００６】
本発明が解決しようとする問題点は、特に図書館において、書籍類の貸し出し、返却や移動の管理を非接触式のＩＣタグを用いて行なうについて、書籍類はその非接触式ＩＣタグの装着位置が限定されることとなるが、その限定された位置にフィットし、しかも隠蔽性を確保できるＩＣタグが存在していなかったという点である。
【課題を解決するための手段】
【０００７】
上記した問題点を解決するために、本発明に係る電子タグは、個体識別情報を有するＩＣチップと送受信アンテナから構成され、その通信帯域としてＵＨＦ帯を使用する非接触式ＩＣタグを用いた電子タグにおいて、その幅を３ｍｍ〜６ｍｍとしたことを特徴としている。
【０００８】
また、本発明に係る電子タグの両面は、粘着層を有するとともに、離型性を有するキャリア層およびカバーフィルム層の間に挟持されており、前記したキャリア層及びカバーフィルム層の長さが３６０ｍｍ±６０ｍｍ、または１８０ｍｍ±６０ｍｍであることを特徴とし、前記したＩＣチップの個体識別情報はＲＯＭによって構成されていることを特徴としている。
【０００９】
さらに、本発明に係る電子タグは、前記した電子タグはベースとなるテープ材上に搭載もしくは二枚のテープ材間に挟持されていることを特徴とし、前記した電子タグは、その一部分を構成する部材がベースを兼ねていることを特徴としている。
【発明の効果】
【００１０】
本発明に係る電子タグは上記のように構成されている。そのため、対象となる書籍類への装着が隠蔽性をもって良好に実行でき、本発明に係る電子タグ１が通信に使用する周波数が、主に８００ＭＨｚから１ＧＨｚの範囲内の一部または全部で一般に使用が許可される所謂ＵＨＦ帯を使用することで、必要とされるアンテナの大きさや、金属が近接した場合の通信電波への影響挙動等を勘案しても最も良好なタグとされる。
また、特に単行本、文庫本に関する大きさに配慮して、前記したキャリア層、及びカバーフィルム層の長さを規定することにより、書籍により装着し易い形態を提供するものである。
【図面の簡単な説明】
【００１１】
【図１】本発明を実施した電子タグを示す部分平面図である。
【図２】二枚のテープ材に挟持された形態を示す部分断面図である。
【図３】カバーフィルムを有する両面粘着タイプの形態を示す部分断面図である。
【発明を実施するための形態】
【００１２】
図面として示し、実施例で説明したように構成したことで実現した。
【実施例１】
【００１３】
次に、本発明の好ましい実施の例を図面を参照して説明する。図面にあって１は本願発明を実施した電子タグを示している。この電子タグ１の基本構成はフレキシブルなベースとなるテープ材２を有しており、このテープ材２の一方面に非接触式ＩＣタグ４を搭載した構成となっている。
【００１４】
ここで、テープ材２は非接触式ＩＣタグ４の一部分を構成する部材で兼ねることもでき、また、非接触式ＩＣタグ４とテープ材２が物理的にひとつの基材で構成されるとしても本願発明の目的とする範疇から外れてしまうものではない。
【００１５】
本願発明を構成する非接触式のＩＣタグ４は、ＩＣチップ５と、そのＩＣチップ５と電気的に接続されているアンテナ６とより構成され、接着手段、例えば０．１７ｍｍ厚の両面テープによって固定されている。ここでアンテナ６はアルミニウムや銅等の金属もしくは合金の非磁性材料で形成されている。このアルミニウムや銅は安価でエッチング等の加工性がよく、良好な特性を得るためのアンテナ６の材料として好適である。
【００１６】
また、非接触式ＩＣタグ４は、ＵＨＦ帯のマイクロ波を使用する無線方式のものとされ、アンテナ６として形状が棒状となるダイポール状アンテナを用いることで良好な通信特性を得られるため、電子タグ１としての形状を細型化することができる。ＩＣチップ５は個体識別情報をＲＯＭによって構成しておくことが好ましく、このＩＣチップ５に固有のＩＤのみをＲＯＭによって構成入力しておくことで、この固有ＩＤをネットワークで管理すれば、小型で安価な、改ざん不可能なＩＣチップ５とすることができる。
【００１７】
さらに、この非接触式のＩＣチップ４の上面に粘着層を有するカバーフィルムを装備することもできる。
【００１８】
ここで、本実施例にあって、この電子タグ１の幅は３ｍｍ〜６ｍｍに設定される。この幅はテープ材２までを含めて考えた場合はＷ１が相当し、テープ材２を非接触式のＩＣタグ４の一部を兼用したような場合Ｗ２が相当することとなる。この数値は装着対象となる書籍類のサイズから計出され、加えて隠蔽性も考慮して得られたものである。
【００１９】
また、図２として示すのは変形実施例であり、テープ材２の下面に粘着層８を備え、その粘着層８にキャリア層７を設けてあり、このキャリア層７を剥離することで対象物への粘着層８による貼装を可能としてある。また、非接触式のＩＣタグ４のＩＣチップ５の上面から、別異のテープ材２ａによってテープ材２との間で非接触式のＩＣタグ４を挟持する構成としてある。この場合、別異のテープ材２ａの下面側に粘着層８を設けて、剥れてしまうことを防止している。
【実施例２】
【００２０】
また、図３として示す実施例は、実施例１（図２）のＩＣタグをさらに応用したもので、テープ材２ａの上面に更なる粘着層８ａを設けて、さらに８ａを覆うようにカバーフィルム９を設けた構成である。書籍への貼付時の使用方法の一例として、ベース材２を剥し、書籍の頁間にカバーフィルム９を用いて書籍に粘着層８で貼付する。その後、カバーフィルム９を取り除くことで粘着層８ａを用いて書籍に貼付することにより、書籍頁間に本発明に係る電子タグ１を隠蔽した状態で容易に貼付することが可能となるものである。なお、貼付時の作業性を向上させるため、キャリア層７、及びカバーフィルム９の幅は、本発明に係る電子タグ１の幅に制約されるものではない。又、本発明に係る電子タグのキャリア層、およびカバーフィルム層の長さは、請求項２に規定した３６０ｍｍ±６０ｍｍないし１８０ｍｍ±６０ｍｍに設定することにより、書籍により一層貼付しやすい形状とすることが出来る。
【００２１】
本実施例に係る電子タグ１は上記のように構成されているので、対象物を書籍類とした場合、その限定される装着部位に容易に対応することができ、正確な管理が実行できる。
【産業上の利用可能性】
【００２２】
本願発明は上記のように構成されており、図書館における書籍類の管理に使用されるが、対象物は書籍類に限らず、広く応用することができ、装着部位が狭く、細く限定される各種商品にも用いることができる。ここでいう装着とは必ずしも粘着層を有しての貼着のみを意味するものではなく、本発明にかかる電子タグを例えば書籍に挟み込むのみでの運用も可能とするものである。
【００２３】
また、本願発明は非接触式のＩＣタグ４のみを用いた構成として対象物の個別情報を管理するのみにとどまるが、アモルファス等を用いた磁気式タグと併用し、応答するゲートを用いることで不正持ち出し等の犯罪行為もチェックすることができるようになり、書籍類を対象とすると書店にとっても大きな効果が得られることとなる。
【符号の説明】
【００２４】
１    電子タグ
２    テープ材
２ａ  テープ材
４    非接触式のＩＣタグ
５    ＩＣチップ
６    アンテナ
７    キャリア層
８    粘着層
８ａ  粘着層
９    カバーフィルム層
【図１】
2012178102.tif 000003
【図２】
2012178102.tif 000004
【図３】
2012178102.tif 000005